(57)【要約】【課題】ゲストホスト型の調光フィルムにおいて、十分にコントラストを確保する。【解決手段】調光フィルム１は、第１液晶層８Ａと第１液晶層８Ａの両側に配置された配向膜とを備えた第１液晶セル２Ａと、第２液晶層８Ｂと第２液晶層８Ｂの両側に配置された配向膜とを備えた第２液晶セル２Ｂとが積層され、第１液晶層８Ａ及び第２液晶層８Ｂは、液晶分子及び二色性色素を含むゲストホスト型の液晶層であり、第１液晶層８Ａの両側に配置された配向膜１３Ａ，１７Ａのうちの、第２液晶セル２Ｂ側に設けられた配向膜１３Ａの配向方向Ｌ１３Ａと、第２液晶層８Ｂの両側に配置された配向膜１３Ｂ，１７Ｂのうち第１液晶セル２Ａ側に設けられた配向膜１７Ｂの配向方向Ｌ１７Ｂとが互いに直交している。【選択図】図２
2019101384.tif 000002
【特許請求の範囲】
【請求項１】
第１液晶層と前記第１液晶層の両側に配置された配向膜とを備えた第１液晶セル、及び、
第２液晶層と前記第２液晶層の両側に配置された配向膜とを備えた第２液晶セル、が積層され、
前記第１液晶層及び前記第２液晶層は、液晶分子及び二色性色素を含むゲストホスト型の液晶層であり、
前記第１液晶層の両側に配置された配向膜のうちの、前記第２液晶セル側に設けられた第１配向膜の配向方向と、
前記第２液晶層の両側に配置された配向膜のうちの、前記第１液晶セル側に設けられた第２配向膜の配向方向とが、
互いに直交している調光フィルム。
【請求項２】
前記第１液晶層の前記二色性色素と前記第２液晶層の前記二色性色素とが同じ種類である、
請求項１に記載の調光フィルム。
【請求項３】
ＣＩＥ１９７６色空間におけるａ＊ｂ＊色度図において、前記二色性色素の遮光状態の色度座標が、−１５＜ａ＊＜１５，−１５＜ｂ＊＜１５の範囲内である、
請求項１又は請求項２に記載の調光フィルム。
【請求項４】
前記第１液晶層の液晶分子は、前記第１液晶層に電圧を印加した際に、前記液晶分子の長手方向が、第１配向膜の配向方向に沿うようにして互いに平行に整列し、
前記第２液晶層の液晶分子が、前記第２液晶層に電圧を印加した際に、前記液晶分子の長手方向が、第２配向膜の配向方向に沿うようにして互いに平行に整列する、
請求項１から請求項３のいずれか１項に記載の調光フィルム。
【請求項５】
前記第１液晶層の液晶分子が、前記第１液晶層に電圧を印加した際に、前記第１液晶層の厚み方向において旋回し、
前記第２液晶層の液晶分子が、前記第２液晶層に電圧を印加した際に、前記第２液晶層の厚み方向において旋回する、
請求項１から請求項３のいずれか１項に記載の調光フィルム。
【請求項６】
前記第１液晶層と前記第２液晶層との間に基材が設けられ、
前記基材の遅相軸方向が、前記第１配向膜の配向方向、及び、前記第２配向膜の配向方向と、垂直又は平行である、
請求項１から請求項５のいずれか１項に記載の調光フィルム。
【請求項７】
前記第１液晶層と前記第２液晶層との間に基材が設けられ、
前記基材は、面内位相差が１０ｎｍ以下である、
請求項１から請求項６のいずれか１項に記載の調光フィルム。
【請求項８】
請求項１から請求項７のいずれか１項に記載の調光フィルムと、
前記調光フィルムが積層される透明部材と、
を備える調光部材。
【発明の詳細な説明】
【技術分野】
【０００１】
本発明は、例えば窓に貼り付けて外来光の透過を制御する調光フィルム、特にゲストホスト型の調光フィルム、及び、これを備える調光部材に関する。
【背景技術】
【０００２】
従来、例えば窓に貼り付けて外来光の透過を制御する調光フィルムに関する工夫が種々、提案されている。このような調光フィルムに関して、特許文献１，２には、直線偏光板により液晶材料を挟持し、この液晶材料に印加する電界の変化により、透過光の光量を制御する構成が開示されている。
【０００３】
特許文献３には、２枚の透明導電性基材の間に光調整懸濁液を注入した構成が開示されている。特許文献４には、電場に応じて白濁と透明とで状態を変化させる高分子分散型液晶を使用した構成が開示されている。特許文献５には、一対の偏光子の間に１対の波長板を配置し、この１対の波長板の相対位置の変化により透過率を変化させる構成が開示されている。
【０００４】
特許文献６，７には、ゲストホスト型の液晶セルに関する工夫が提案されている。ゲストホスト型の液晶セルでは、長軸方向が液晶層の厚み方向となる向きに液晶分子を配向させることによって二色性色素をこの厚み方向に配向させて入射光を透過させる。また長軸方向が液晶層の厚み方向と直交する方向となる向きに液晶分子を配向させることによって二色性色素をこの直交する方向に配向させて入射光を遮光する。
【先行技術文献】
【特許文献】
【０００５】
【特許文献１】特開平０３−４７３９２号公報
【特許文献２】特開平０８−１８４２７３号公報
【特許文献３】特開２０１４−１４６０５１号公報
【特許文献４】特開２０１３−１３０７４６号公報
【特許文献５】特表２０１４−５０７６７６号公報
【特許文献６】特開２０１３−１３９５２１号公報
【特許文献７】特開２０１２−３１３８４号公報
【発明の概要】
【発明が解決しようとする課題】
【０００６】
このようなゲストホスト型の液晶セルは、簡易な構成により透過光を制御することができる。このため、調光フィルムにおいて、ゲストホスト型の液晶セルを用いたものがある。ゲストホスト型の液晶セルを用いて調光フィルムを構成する場合、透光時における透過光量を遮光時における透過光量で割り算して求められる比率（以下、コントラストと呼ぶ）を十分に確保できることが望まれる。
【０００７】
本発明はこのような状況に鑑みてなされたものであり、ゲストホスト型の調光フィルムにおいて、十分にコントラストを確保することができる調光フィルム、及び、これを備える調光部材を提供することを目的とする。
【課題を解決するための手段】
【０００８】
本発明では、以下のようなものを提供する。
【０００９】
（１）第１液晶層と前記第１液晶層の両側に配置された配向膜とを備えた第１液晶セル、及び、第２液晶層と前記第２液晶層の両側に配置された配向膜とを備えた第２液晶セル、が積層され、前記第１液晶層及び前記第２液晶層は、液晶分子及び二色性色素を含むゲストホスト型の液晶層であり、前記第１液晶層の両側に配置された配向膜のうちの、前記第２液晶セル側に設けられた第１配向膜の配向方向と、前記第２液晶層の両側に配置された配向膜のうちの、前記第１液晶セル側に設けられた第２配向膜の配向方向とが、互いに直交している調光フィルム。
【００１０】
（２）  （１）において、前記第１液晶層の前記二色性色素と前記第２液晶層の前記二色性色素とが同じ種類である。
【００１１】
（３）  （１）又は（２）において、ＣＩＥ１９７６色空間におけるａ＊ｂ＊色度図において、前記二色性色素の遮光状態の色度座標が、−１５＜ａ＊＜１５，−１５＜ｂ＊＜１５の範囲内である。
【００１２】
（４）  （１）から（３）において、前記第１液晶層の液晶分子は、前記第１液晶層に電圧を印加した際に、前記液晶分子の長手方向が、第１配向膜の配向方向に沿うようにして互いに平行に整列し、前記第２液晶層の液晶分子が、前記第２液晶層に電圧を印加した際に、前記液晶分子の長手方向が、第２配向膜の配向方向に沿うようにして互いに平行に整列する。
【００１３】
（５）  （１）から（３）において、前記第１液晶層の液晶分子が、前記第１液晶層に電圧を印加した際に、前記第１液晶層の厚み方向において旋回し、前記第２液晶層の液晶分子が、前記第２液晶層に電圧を印加した際に、前記第２液晶層の厚み方向において旋回する。
【００１４】
（６）  （１）から（５）において、前記第１液晶層と前記第２液晶層との間に基材が設けられ、前記基材の遅相軸方向が、前記第１配向膜の配向方向、及び、前記第２配向膜の配向方向と、垂直又は平行である。
【００１５】
（７）  （１）から（６）において、前記第１液晶層と前記第２液晶層との間に基材が設けられ、前記基材は、面内位相差が１０ｎｍ以下である。
【００１６】
（８）  （１）から（７）のいずれかの調光フィルムと、前記調光フィルムが積層される透明部材と、を備える調光部材。
【発明の効果】
【００１７】
本発明は、ゲストホスト型の調光フィルム、及び、これを備える調光部材において、十分にコントラストを確保することができる。
【図面の簡単な説明】
【００１８】
【図１】第１実施形態に係る調光フィルムを示す断面図である。
【図２】図１の調光フィルムにおける液晶層の詳細構成を説明する図である。
【図３】図１の調光フィルムにおける基材の詳細構成を説明する図である。
【図４】第２実施形態に係る調光フィルムの詳細構成を説明する図である。
【図５】第３実施形態に係る調光フィルムの詳細構成を説明する図である。
【図６】第４実施形態に係る調光フィルムの詳細構成を説明する図である。
【図７】第５実施形態に係る調光フィルムの詳細構成を説明する図である。
【図８】第６実施形態に係る調光フィルムの詳細構成を説明する図である。
【図９】第７実施形態に係る調光フィルムの詳細構成を説明する図である。
【図１０】本発明の調光部材を示す断面図である。
【発明を実施するための形態】
【００１９】
〔第１実施形態〕
〔調光フィルムの全体構成〕
図１は、本発明の第１実施形態に係る調光フィルム１を示す断面図である。
図１０は、本発明の調光部材１００を示す断面図である。
本実施形態の調光フィルム１は、印加電圧を変化させて透過光を制御する機能を有する部材である。この調光フィルム１は、例えば、粘着剤層１０２等によりガラス板等の透明部材１０１に貼り付けて調光部材１００を形成する。調光部材１００は、透明部材１０１に調光フィルム１が積層された部材であり、例えば、建築物の窓ガラス、ショーケース、屋内の透明パーテーション、車両のサンルーフ等の調光を図る部位に使用される。
なお、これに限らず、この調光フィルム１は、２枚のガラス板の間に狭持される形態として使用してもよい。また、この調光部材が積層、貼合される透明部材は、ガラス板に限らず、透光性の高い樹脂製の板状の部材等としてもよい。
【００２０】
調光フィルム１は、本実施形態において、フィルム状の第１液晶セル２Ａ及び第２液晶セル２Ｂを、紫外線硬化性樹脂等の接着剤層により積層一体化して形成されている。本実施形態の第１液晶セル２Ａ及び第２液晶セル２Ｂは、ゲストホスト方式により透過光の光量を制御するゲストホスト型調光フィルム用の液晶セルである。
【００２１】
〔第１液晶セルの構成〕
〔全体構成〕
第１液晶セル２Ａは、フィルム状の下側積層体（第１積層体）５ＤＡと上側積層体（第２積層体）５ＵＡとで第１液晶層８Ａを挟持している。
下側積層体５ＤＡは、透明フィルム材である基材６Ａに、透明電極１１Ａ、スペーサ１２Ａ、配向膜１３Ａを配置して形成される。
上側積層体５ＵＡは、透明フィルム材である基材１５Ａに、透明電極１６Ａ、配向膜１７Ａを配置して形成される。
上側積層体５ＵＡに設けられた透明電極１６Ａと下側積層体５ＤＡに設けられた透明電極１１Ａとの駆動により、第１液晶層８Ａ内の液晶分子内の電界の強さが変化する。
【００２２】
〔基材〕
基材６Ａ，１５Ａは、この種のフィルム材に適用可能な種々の透明フィルム材を適用することができる。実施形態において、基材６Ａ，１５Ａは、ポリカーボネートフィルムが適用されるが、ＣＯＰ（シクロオレフィンポリマー）フィルム、ＴＡＣフィルム、アクリルフィルム等を適用するようにしてもよい。
【００２３】
〔透明電極〕
透明電極１１Ａ，１６Ａは、この種のフィルム材に適用される各種の電極材料を適用することができ、本実施形態ではＩＴＯ（Ｉｎｄｉｕｍ  Ｔｉｎ  Ｏｘｉｄｅ）による透明電極材により形成される。
【００２４】
〔スペーサ〕
スペーサ１２Ａは、第１液晶層８Ａの厚みを規定するために設けられ、各種の樹脂材料を広く適用することができるが、本実施形態ではフォトレジストにより作製され、透明電極１１Ａが作製された基材６Ａの上に、フォトレジストを塗工して露光、現像することにより作製される。
なおスペーサ１２Ａは、上側積層体５ＵＡに設けてもよく、上側積層体５ＵＡ及び下側積層体５ＤＡの双方に設けてもよい。またスペーサ１２Ａは、いわゆるビーズスペーサを適用してもよい。
【００２５】
〔配向膜〕
配向膜１３Ａ，１７Ａは、第１液晶層８Ａの両側に配置されている。配向膜１３Ａ，１７Ａは、本実施形態において水平配向膜により形成され、ポリイミド樹脂層をラビング処理して作製される。
配向膜１３Ａ，１７Ａは、第１液晶層８Ａに係る液晶材料に対して配向規制力を発現可能な各種の構成を適用することができ、いわゆる光配向膜により作製してもよく、ラビング処理、研磨処理による微細なライン状凹凸形状を賦型処理により作製して形成してもよい。また、配向膜１３Ａ，１７Ａは、上記の水平配向膜に限らず、垂直配向膜としてもよい。
【００２６】
なお光配向材料は、光配向の手法を適用可能な各種の材料を適用することができるが、例えば一旦配向した後には、紫外線の照射によって配向が変化しない、二量化型の材料を適用することができる。この光二量化型の材料については、「Ｍ．Ｓｃｈａｄｔ，  Ｋ．Ｓｃｈｍｉｔｔ，  Ｖ．  Ｋｏｚｉｎｋｏｖ  ａｎｄ  Ｖ．  Ｃｈｉｇｒｉｎｏｖ  ：  Ｊｐｎ．  Ｊ．  Ａｐｐｌ．Ｐｈｙｓ．，  ３１，  ２１５５  （１９９２）」、「Ｍ．  Ｓｃｈａｄｔ，  Ｈ．  Ｓｅｉｂｅｒｌｅ  ａｎｄ  Ａ．  Ｓｃｈｕｓｔｅｒ  ：  Ｎａｔｕｒｅ，  ３８１，  ２１２（１９９６）」等に開示されている。
【００２７】
〔液晶層〕
第１液晶層８Ａは、液晶分子８ａ（後述の図２参照）及び二色性色素を含み、ゲスト方式で駆動される液晶層である。
透明電極１１Ａ，１６Ａへの印加電圧を変化させることにより第１液晶層８Ａ内の電界が変化し、垂直配向と水平配向との間で液晶分子の配向が変化する。液晶分子の配向の変化に連動して二色性色素が移動し、これにより入射光の透過が制御される。
【００２８】
〔二色性色素〕
二色性色素としては、例えば、以下の化学式（１）〜（９）に示すものが用いられる。
【００２９】
【化１】
2019101384.tif 000003
【化２】
2019101384.tif 000004
【化３】
2019101384.tif 000005
【化４】
2019101384.tif 000006
【化５】
2019101384.tif 000007
【化６】
2019101384.tif 000008
【化７】
2019101384.tif 000009
【化８】
2019101384.tif 000010
【化９】
2019101384.tif 000011
【００３０】
〔液晶セルの色度〕
本実施形態の二色性色素は、遮光状態で観察される色を特に限定しないが、黒とすることが好ましい。このとき、二色性色素は、ＣＩＥ１９７６色空間におけるａ＊ｂ＊色度図において、遮光状態の色度座標が、−１５＜ａ＊＜１５，−１５＜ｂ＊＜１５の範囲内であることが好ましく、−１０＜ａ＊＜１０，−１０＜ｂ＊＜１０の範囲内であることがより好ましい。
【００３１】
〔液晶分子〕
本実施形態の液晶分子８ａは、いわゆるネガ型の液晶分子である。第１液晶層８Ａへの無電界時、液晶分子８ａは垂直配向し、第１液晶層８Ａの電界印加時、液晶分子８ａは水平配向する、いわゆるノーマリーホワイトの液晶分子８ａである。この場合、配向膜１３Ａ、１７Ａは水平配向膜である。
なお、これに限らず、上述のように、配向膜１３Ａ，１７Ａは、垂直配向膜としてもよく、液晶分子８ａについても、ポジ型としてもよいし、ノーマリーブラック型としてもよい。
【００３２】
第１液晶セル２Ａは、第１液晶層８Ａを囲むように、シール材１９Ａが配置され、このシール材１９Ａにより上側積層体５ＵＡ、下側積層体５ＤＡが一体に保持され、液晶材料の漏出が防止される。
【００３３】
〔第２液晶セル〕
第２液晶セル２Ｂは、第１液晶セルとほぼ同一の構成を有する。
第２液晶セル２Ｂは、フィルム状の下側積層体（第３積層体）５ＤＢと上側積層体（第４積層体）５ＵＢとで第２液晶層８Ｂを挟持している。
下側積層体５ＤＢは、透明フィルム材である基材６Ｂに、透明電極１１Ｂ、スペーサ１２Ｂ、配向膜１３Ｂを配置して形成される。
上側積層体５ＵＢは、透明フィルム材である基材１５Ｂに、透明電極１６Ｂ、配向膜１７Ｂを配置して形成される。
第２液晶セル２Ｂの各部の構成は、第１液晶セル２Ａの対応する構成と同一であるので、第２液晶セル２Ｂについては、第１液晶セル２Ａの対応する符号において添え字をＡからＢに変更して示し、詳細な説明は省略する。
【００３４】
〔調光フィルムの詳細構成〕
図２は、第１実施形態の調光フィルムにおける液晶層の詳細構成を説明する図である。図２では、第１液晶セル２Ａと第２液晶セル２Ｂとにおける液晶分子の配向方向を略線図により説明している。
本実施形態において、第１液晶層８Ａにおける、第２液晶セル２Ｂ側に設けられた配向膜１３Ａ（第１配向膜）の配向方向（ラビング方向）と、第２液晶層８Ｂにおける、第１液晶セル２Ａ側に設けられた配向膜１７Ｂ（第２配向膜）の配向方向（ラビング方向）とは、互いに直交している。
すなわち、互いに対向する第１液晶セル２Ａの配向膜１３Ａと、第２液晶セル２Ｂの配向膜１７Ｂとの、配向規制力の発現方向は直交している。
したがって、第１液晶層８Ａの液晶分子８ａにおける、第２液晶セル２Ｂ側に位置する液晶分子８ａの遮光時における配向方向Ｌ１３Ａと、第２液晶層８Ｂの液晶分子８ｂにおける、第１液晶セル２Ａ側に位置する液晶分子８ｂの遮光時における配向方向Ｌ１７Ｂとは直交している。
【００３５】
また、第１液晶層８Ａの両側に設けられた配向膜１３Ａの配向方向Ｌ１３Ａと配向膜１７Ａの配向方向Ｌ１７Ａとは平行である。したがって、第１液晶セル２Ａ内における液晶分子８ａは、遮光時において、それぞれの液晶分子８ａの長手方向が、配向方向に沿うようにして互いに平行に整列する。
【００３６】
また、第２液晶層８Ｂの両側に設けられた配向膜１３Ｂの配向方向Ｌ１３Ｂと配向膜１７Ｂの配向方向Ｌ１７Ｂとは平行である。したがって第２液晶セル２Ｂ内における液晶分子８ｂは、遮光時において、それぞれの液晶分子８ａの長手方向が、配向方向に沿うようにして互いに平行に整列する。
【００３７】
ここで、上述のような、遮光時において液晶分子の長手方向が配向方向（調光フィルム１の厚み方向に直交する方向）に並ぶ液晶層を含む液晶セルを単層で用いた場合、遮光時、液晶分子と平行でない偏光を有する光を、十分に遮光することができない。
しかし、本実施形態は、遮光時において液晶分子の長手方向が配向方向（調光フィルム１の厚み方向に直交する方向）に並ぶ液晶層を含む液晶セルを２層重ねている。そして第１液晶セル２Ａ内の液晶分子の配向方向と、第２液晶セル２Ｂ内の液晶分子の配向方向とは直交している。
したがって、例えば第１液晶層８Ａにより十分に遮光できずに漏れた光を、第２液晶層８Ｂにより遮蔽することができ、調光フィルム１を透過する光を低減できる。ゆえに、遮光時における透過率を一段と低減することでき、コントラストを増大させることができる。
【００３８】
また、本実施形態において、第１液晶セル２Ａ、第２液晶セル２Ｂの液晶分子及び二色性色素は、異なる材料としてもよいが、同一の材料を用いることが望ましい。第１液晶セル２Ａ、第２液晶セル２Ｂの液晶分子及び二色性色素について、同一の材料を用いた場合には、製造工程を簡略化できるという効果を奏することができる。
【００３９】
〔基材の配置〕
図３は、第１実施形態の調光フィルムにおける基材の詳細構成を説明する図である。
ここで、第１液晶層８Ａを通過して偏光した出射光が、配向方向が直交する方向に設定された第２液晶層８Ｂに入射する場合、その位相差が第１液晶層８Ａと第２液晶層８Ｂとの間において変化すると十分に透過率を低減することが困難になる。
【００４０】
このため、本実施形態において、図３に示すように、第１液晶層８Ａと第２液晶層８Ｂとの間に配置される基材６Ａの遅相軸方向Ｌ６Ａと、基材１５Ｂの遅相軸方向Ｌ１５Ｂとが、第１液晶層８Ａの配向方向Ｌ１３Ａと垂直又は平行となるように配置する。
具体的には、第１液晶セル２Ａの基材６Ａを、第１液晶層８Ａの配向膜１３Ａ側表面の配向方向Ｌ１３Ａに対して、遅相軸方向Ｌ６Ａが垂直になるように配置する。
また第２液晶セル２Ｂの基材１５Ｂを、第２液晶層８Ｂの配向膜１７Ｂ側表面の配向方向Ｌ１７Ｂに対して、基材１５Ｂの遅相軸方向Ｌ１５Ｂが平行となるように配置する。
このように、第１液晶セル２Ａの第１液晶層８Ａと第２液晶セル２Ｂの第２液晶層８Ｂとの間に設けられた全ての基材６Ａ，１５Ｂの遅相軸方向Ｌ６Ａ，Ｌ１５Ｂが、第１液晶セル２Ａの第２液晶セル２Ｂ側面における液晶分子８ａの配向方向と、直交及び又は平行であると、基材の位相差によるコントラストの劣化を有効に回避することが可能となる。
【００４１】
以上、上記構成を有する本実施形態の調光フィルム１は、以下の効果を有する。
（１）第１液晶層８Ａと、第１液晶層８Ａの両側に配置された配向膜１３Ａ，１７Ａとを備えた第１液晶セル２Ａ、及び、第２液晶層８Ｂと、第２液晶層８Ｂの両側に配置された配向膜１３Ｂ，１７Ｂとを備えた第２液晶セル２Ｂ、が積層され、第１液晶層８Ａの両側に配置された配向膜１３Ａ，１７Ａのうちの、第２液晶セル２Ｂ側に設けられた配向膜１３Ａの配向方向と、第２液晶層８Ｂの両側に配置された配向膜１３Ｂ，１７Ｂのうちの、第１液晶セル２Ａ側に設けられた配向膜１７Ｂの配向方向とが、互いに直交している。
すなわち、第１液晶層８Ａの液晶分子８ａにおける、第２液晶セル２Ｂ側に位置する液晶分子８ａの遮光時における配向方向Ｌ１３Ａと、第２液晶層８Ｂの液晶分子８ｂにおける、第１液晶セル２Ａ側に位置する液晶分子８ｂの遮光時における配向方向Ｌ１７Ｂとが直交している。
したがって、例えば、第１液晶層８Ａにより十分に遮光できずに漏れた光を、第２液晶層８Ｂにより遮蔽することができ、調光フィルム１を透過する光を低減できる。ゆえに、遮光時における透過率を一段と低減することでき、コントラストを増大させることができる。
【００４２】
（２）第１及び第２液晶セルで、液晶分子及び二色性色素が同一材料であることにより、製造工程を簡略化することができる。
【００４３】
（３）液晶分子の長手方向の向きが、配向膜の配向方向に沿うようにして互いに平行に整列していることにより、液晶層の透過光の偏光が大きい場合でも、十分にコントラストを確保することができる。
【００４４】
（４）第１液晶セルの液晶層と第２液晶セルの液晶層との間に設けられた全ての基材が、遅相軸方向が、第１液晶セルの第２液晶セル側面における液晶分子の配向方向と、直交及び又は平行であることにより、基材の位相差によるコントラストの劣化を有効に回避することができる。
【００４５】
〔第２実施形態〕
図４は、本発明の第２実施形態の調光フィルムの詳細構成を示す図である。
この調光フィルム２１は、第１液晶セル２Ａにおいて、基材６Ａの遅相軸方向Ｌ６Ａが第１液晶層８Ａにおける配向方向Ｌ１３Ａと平行に設定されている点を除いて、第１実施形態と同様に構成される。
【００４６】
本実施形態のように、第１液晶セル２Ａにおいて、基材６Ａの遅相軸方向Ｌ６Ａを第１液晶層８Ａにおける配向方向Ｌ１３Ａと平行にしても。第１実施形態と同一の効果を得ることができる。
【００４７】
〔第３実施形態〕
図５は、本発明の第３実施形態の調光フィルムの詳細構成を示す図である。
この調光フィルム３１は、第２液晶セル２Ｂにおいて、基材１５Ｂの遅相軸方向Ｌ１５Ｂが第２液晶層８Ｂにおける配向方向Ｌ１７Ｂと垂直に設定されている点を除いて、第１実施形態と同様に構成される。
【００４８】
本実施形態のように、第２液晶セル２Ｂにおいて、基材１５Ｂの遅相軸方向Ｌ１５Ｂが第２液晶層８Ｂにおける配向方向Ｌ１７Ｂと直交するようにしても、第１実施形態と同一の効果を得ることができる。
【００４９】
〔第４実施形態〕
図６は、本発明の第４実施形態の調光フィルムの詳細構成を示す図である。
この調光フィルム４１は、第１液晶セル２Ａにおいて、基材６Ａの遅相軸方向Ｌ６Ａが第１液晶層８Ａにおける配向方向Ｌ１３Ａと平行に設定され、第２液晶セル２Ｂにおいて、基材１５Ｂの遅相軸方向Ｌ１５Ｂが第２液晶層８Ｂにおける配向方向Ｌ１７Ｂと垂直に設定されている点を除いて、第１実施形態と同様に構成される。
【００５０】
本実施形態のように、第１液晶セル２Ａにおいて、基材６Ａの遅相軸方向Ｌ６Ａが第１液晶層８Ａにおける配向方向Ｌ１３Ａと平行に設定され、第２液晶セル２Ｂにおいて、基材１５Ｂの遅相軸方向Ｌ１５Ｂが第２液晶層８Ｂにおける配向方向Ｌ１７Ｂと垂直に設定されている場合でも、上述の第１実施形態と同一の効果を得ることができる。
【００５１】
〔第５実施形態〕
図７は、本発明の第５実施形態の調光フィルムの詳細構成を示す図である。
この調光フィルム５１は、第１液晶セル２Ａ及び第２液晶セル２Ｂの間に配置される、下側積層体５ＤＡ及び上側積層体５ＵＢにおいて、基材５６が共用化される。
【００５２】
すなわち、調光フィルム５１において、基材５６は、一方の面に、第１液晶セル２Ａに係る透明電極１１Ａ、スペーサ１２Ａ、配向膜１３Ａが設けられ、他方の面に第２液晶セル２Ｂに係る透明電極１６Ｂ、配向膜１７Ｂが設けられる。これにより調光フィルム５１は、構成が簡略化される。
なお、基材５６には、この種のフィルム材に適用可能な種々の透明フィルム材を適用することができ、ポリカーボネートフィルム、ＣＯＰ（シクロオレフィンポリマー）フィルム、ＴＡＣフィルム、アクリルフィルム等を適用することができる。
【００５３】
基材５６は、遅相軸方向Ｌ５６が、第２液晶セル２Ｂにおける配向方向Ｌ１７Ｂと平行になるように設定される。本実施形態では、これらの基材５６に関する構成が異なる点を除いて、上述の第１実施形態と同様に構成される。
【００５４】
本実施形態のように、第１液晶セル２Ａ及び第２液晶セル２Ｂ間で基材５６を共用化しても、上述の第１実施形態と同一の効果を得ることができる。また、本実施形態によれば、基材を１枚省略できるので、製造コストを低減することができる。
【００５５】
〔第６実施形態〕
図８は、本発明の第６実施形態の調光フィルムの詳細構成を示す図である。
この調光フィルム６１は、第１液晶セル２Ａ及び第２液晶セル２Ｂの間に配置される下側積層体５ＤＡ及び上側積層体５ＵＢにおいて、基材５６が共用化され、さらにこの基材５６の遅相軸方向Ｌ５６が、第２液晶セル２Ｂの第１液晶セル２Ａ側表面における液晶分子８ｂの配向方向Ｌ１７Ｂと直交するように設定される。本実施形態では、この基材５６に関する構成が異なる点を除いて、上述の第５実施形態と同様に構成される。
【００５６】
本実施形態のように、第１液晶セル２Ａ及び第２液晶セル２Ｂ間で基材５６を共用化して、この基材の遅相軸方向が第２液晶セル側の配向方向と直交するようにしても、上述の第５実施形態と同一の効果を得ることができる。
【００５７】
〔第７実施形態〕
図９は、本発明の第７実施形態の調光フィルムの詳細構成を示す図である。この調光フィルム７１は、第１液晶セル２Ａ及び第２液晶セル２Ｂにおいて、第１液晶層８Ａ及び第２液晶層８Ｂの厚み方向で液晶分子８ａ、８ｂの配向方向が旋回（ツイスト）するように構成される。本実施形態では、配向方向が旋回している点を除いて、上述の第１実施形態と同一に構成される。
【００５８】
これにより本実施形態では、この旋回に対応する角度だけ配向膜１３Ａに対して配向膜１７Ａの配向規制力の発現方向が異なる向きに設定される。また同様に、この旋回に対応する角度だけ、配向膜１７Ｂに対して配向膜１３Ｂの配向規制力の発現方向が異なる向きに設定される。
【００５９】
ここでこの旋回の角度θは、１８０度以上３６０度以上に設定される。調光フィルム７１では、第１液晶セル２Ａ及び第２液晶セル２Ｂでこの旋回の角度が同一に設定される。
このように液晶分子８ａ、８ｂが第１液晶層８Ａ及び第２液晶層８Ｂの厚み方向で旋回する場合、第１液晶層８Ａ及び第２液晶層８Ｂ出射光における偏光は、何ら旋回しない場合に比して低下する。しかしながら依然、出射光は、光学異方性を示し、偏光した状態で出射される。これによりこの場合も、偏光によりコントラストが劣化する。また第１液晶セル２Ａ及び第２液晶セル２Ｂで配向方向が直交するように設定してコントラストを向上することができる。
【００６０】
本実施形態のように液晶層の厚み方向で液晶分子を旋回させるようにしても、上述の第１実施形態と同様の効果を得ることができる。
【００６１】
〔第８実施形態〕
本実施形態では、第１液晶セル２Ａ及び第２液晶セル２Ｂの第１液晶層８Ａ及び第２液晶層８Ｂ間に配置される基材に、面内位相差が１０ｎｍ以下の透明フィルム材が適用され、遅相軸方向が種々の向きに設定されて基材が配置される。本実施形態では、この基材に関する構成が異なる点を除いて上述の第１実施形態等と同一に構成される。
本実施形態の基材の材料は、例えば、アクリルであり、その面内位相差は、２ｎｍである。
【００６２】
このように面内位相差の小さな基材を適用しても、液晶層間での位相差の増大を防止することができ、これにより確実にコントラストを低減することができる。
【００６３】
〔第９実施形態〕
本実施形態では、第１液晶セル２Ａ及び第２液晶セル２Ｂの第１液晶層８Ａ及び第２液晶層８Ｂ間に配置される基材の一部に、面内位相差が１０ｎｍ以下の透明フィルム材が適用され、残りの基材は、液晶分子の配向方向と遅相軸方向が垂直又は平行になるように配置される。本実施形態では、この基材に関する構成が異なる点を除いて上述の第１実施形態等と同一に構成される。
【００６４】
本実施形態のように、第１液晶セル２Ａ及び第２液晶セル２Ｂの第１液晶層８Ａ及び第２液晶層８Ｂ間に配置される基材の一部についてのみ、液晶分子の配向方向と遅相軸方向が垂直又は平行になるように配置しても、上述の第１実施形態等と同様の効果を得ることができる。
【００６５】
〔他の実施形態〕
以上、本発明の実施に好適な具体的な構成を詳述したが、本発明は、本発明の趣旨を逸脱しない範囲で、上述の各実施形態を種々に組み合わせ、さらには上述の実施形態を種々に変更することができる。
【００６６】
すなわち上述の各実施形態では、第１及び第２液晶セルにおいては、液晶層、配向膜、基材、電極をほぼ同一に構成する場合について述べたが、本発明はこれに限らず、異ならせるように構成してもよい。具体的には、液晶分子及び又は二色性色素の材料、比率を異ならせてもよく、液晶層の厚み、旋回の角度、旋回の有無を異ならせてもよい。また配向膜を垂直配向膜と水平配向膜とで異ならせてもよく、ラビングによる配向膜、光配向膜、賦形による配向膜で異ならせるようにしてもよい。
【符号の説明】
【００６７】
１，２１，３１，４１，５１，６１    調光フィルム
２Ａ    第１液晶セル
２Ｂ    第２液晶セル
５ＤＡ，５ＤＢ    下側積層体
５ＵＡ，５ＵＢ    上側積層体
６Ａ，６Ｂ    基材
１５Ａ，１５Ｂ    基材
５６    基材
８Ａ    第１液晶層
８Ｂ    第２液晶層
８ａ，８ｂ    液晶分子
１３Ａ    配向膜（第１配向膜）
１７Ｂ    配向膜（第２配向膜）
【図１】
2019101384.tif 000012
【図２】
2019101384.tif 000013
【図３】
2019101384.tif 000014
【図４】
2019101384.tif 000015
【図５】
2019101384.tif 000016
【図６】
2019101384.tif 000017
【図７】
2019101384.tif 000018
【図８】
2019101384.tif 000019
【図９】
2019101384.tif 000020
【図１０】
2019101384.tif 000021